(57)【要約】【課題】  水晶発振器を用いながらも、その突発的な周波数変化を検知し、状況によっては補正することのできる周波数基準信号の発生装置および発生方法を提供する。【解決手段】  ｎ個（ｎは３以上の整数）の例えば水晶発振器を用いた信号発生装置ＯＳＣ１〜ＯＳＣｎと、信号発生装置ＯＳＣ１の出力信号を基準信号として出力する出力信号切換手段ＳＷと、その基準信号を基準にして残りの信号発生装置の出力信号の周波数を検出するｎ−１個の周波数検出手段（ゲート信号作成回路ＧＳＧ、パルスカウンタＰＣ１〜ＰＣｎ−１）を備え、その周波数検出手段の出力は外部に出力される。そして、出力信号切換手段ＳＷは、周波数検出手段の出力に基づいて基準信号の周波数に突発的な変化があったと判断された場合に、制御信号に基づいて他の信号発生装置の出力信号を基準信号として出力するように切り換える。【選択図】  図１
2006140801.tif 000002
【特許請求の範囲】
【請求項１】
ｎ個（ｎは３以上の整数）の信号発生装置と、
該ｎ個の信号発生装置の出力信号を入力するとともに、そのうちのいずれか１つを基準信号として出力することのできる出力信号切換手段と、
前記基準信号を基準にして残りの最大ｎ−１個の前記信号発生装置の出力信号の周波数を検出する最大ｎ−１個の周波数検出手段を備え、
該最大ｎ−１個の周波数検出手段の出力は当該周波数基準信号発生装置の外部に出力され、前記出力信号切換手段は、前記最大ｎ−１個の周波数検出手段の出力に基づいて外部から制御されることを特徴とする周波数基準信号発生装置。
【請求項２】
前記周波数検出手段は、前記基準信号に基づいて設定されたゲート期間において所定の信号発生装置の出力信号のパルス数をカウントするパルスカウンタを備えることを特徴とする、請求項１に記載の周波数基準信号発生装置。
【請求項３】
前記周波数検出手段は、前記基準信号と所定の信号発生装置の出力信号の差を出力するミキサ回路を備えることを特徴とする、請求項１に記載の周波数基準信号発生装置。
【請求項４】
前記少なくともｎ−１個の周波数検出手段の出力は通信回線を通じて遠隔地の制御基地に伝送され、前記出力信号切換手段を制御する制御信号は前記遠隔地の制御基地から通信回線を通じて伝送されることを特徴とする、請求項１ないし３のいずれか１項に記載の周波数基準信号発生装置。
【請求項５】
ｎ個（ｎは３以上の整数）の信号発生装置のいずれか１個の出力信号を基準信号として出力するとともに、その基準信号の周波数を基準に残りの最大ｎ−１個の前記信号発生装置の出力信号の周波数を検出し、その検出結果に基づいて前記残りの最大ｎ−１個の信号発生装置のうちのいずれの出力信号を次の基準信号として出力するかどうかを決めることを特徴とする周波数基準信号発生方法。
【請求項６】
前記検出結果の過半数において、前記基準信号と残りの前記信号発生装置の出力信号の周波数が所定以上に変化したことを示す時に、前記基準信号として出力する前記信号発生装置を所定以上に変化した方の信号発生装置に切り換えることを特徴とする、請求項５に記載の周波数基準信号発生方法。
【請求項７】
前記検出結果の半数未満において、前記基準信号と残りの前記信号発生装置の出力信号の周波数が所定以上に変化したことを示す時に、当該検出結果を示した前記信号発生装置を基準信号の周波数を基準に出力信号の周波数を検出する対象から外すことを特徴とする、請求項５または６に記載の周波数基準信号発生方法。
【発明の詳細な説明】
【技術分野】
【０００１】
本発明は、周波数基準信号の発生装置および発生方法に関する。
【背景技術】
【０００２】
携帯電話の基地局においては、高精度の基準周波数信号が必要とされる。基準周波数信号の発生装置における周波数の安定性に関しては、温度安定性と経時安定性の２つがある。前者に関しては、例えば恒温槽（Ｏｖｅｎ）入りの水晶発振器（ＯＣＸＯ）を利用することによって安定性を維持するというのが一般的である。水晶発振器の発振周波数は温度に対して３次曲線を描いて変化する傾向があるので、恒温槽の温度を周波数の温度変化の傾きがほぼゼロになる温度に設定することによって安定性をさらによくすることができる。
【０００３】
後者に関しても米国国防総省のMIL-PRF-55310DにＡＴカット水晶のエージング特性に関する規格があり、これに従えばある程度の発振周波数の変動予測ができることが分かっている。そこで、例えば水晶発振器（ＴＣＸＯなど）であれば、この予測に基づいて周波数を正しいと思われる値に時間経過にしたがって適宜変更することも可能である。例えば特許文献１には、経時変化の予測値を記憶装置に保存しておき、経時変化にしたがってその予測値を取り出して発振周波数を修正する圧電発振器が開示されている。
【０００４】
経時安定性を補償するシステムとしては、特許文献２、３に開示されているような、外部にあるさらに安定度の高い信号を利用するものも提案されている。特許文献１では、衛星に搭載された高安定の信号源からの信号を基地局側で受信して、それを元にして基地局内の周波数基準信号を修正することを提案している。また、特許文献２ではＩＰネットワークを利用してサーバーに配置された高安定の基準信号源からの信号を受け、それに基づいて基地局内の周波数基準信号を修正することを提案している。このような場合の高安定の信号源としては、セシウム原子時計などが利用される。
【特許文献１】特公平５−４８４５号公報
【特許文献２】特開平１０−９３４６８号公報
【特許文献３】特開２００１−３０８８３３号公報
【発明の開示】
【発明が解決しようとする課題】
【０００５】
携帯電話のシステムの中には、１つの基地局のカバーするエリアを狭くし、その分だけ基地局の数を多くするというものもある。そのようなシステムにおいては、簡易的な基地局が必要となり、その基地局を小型でかつ安価にするためにも、基準周波数信号の発生装置として安価な水晶発振器を使用するのが望ましい。
【０００６】
しかしながら、水晶発振器においては、上記の温度安定性と予測可能な経時安定性の他に、突発的で予測できない周波数の変化がわずかな確率で発生する。このような水晶発振器の突発的な周波数変化に対応する機能を備えた水晶発振器は見当たらない。
【０００７】
特許文献１の構成では、水晶発振器の突発的な周波数変化には全く対応できない。
【０００８】
特許文献２や３の構成では突発的な周波数変動も含めて修正することは不可能ではない。しかしながら、これらはシステム全体が複雑になり、大型化し、しかも高価になるという問題を含む可能性が高い。
【０００９】
本発明は上記の問題点を解決することを目的とするもので、水晶発振器を用いながらも、その突発的な周波数変化を検知し、状況によっては補正することのできる周波数基準信号の発生装置および発生方法を提供する。
【課題を解決するための手段】
【００１０】
上記目的を達成するために、本発明の周波数基準信号発生装置においては、ｎ個（ｎは３以上の整数）の信号発生装置と、該ｎ個の信号発生装置の出力信号を入力するとともに、そのうちのいずれか１つを基準信号として出力することのできる出力信号切換手段と、前記基準信号を基準にして残りの最大ｎ−１個の前記信号発生装置の出力信号の周波数を検出する最大ｎ−１個の周波数検出手段を備え、該最大ｎ−１個の周波数検出手段の出力は当該周波数基準信号発生装置の外部に出力され、前記出力信号切換手段は、前記最大ｎ−１個の周波数検出手段の出力に基づいて外部から制御されることを特徴とする。
【００１１】
また、本発明の周波数基準信号発生装置においては、前記周波数検出手段は、前記基準信号に基づいて設定されたゲート期間において所定の信号発生装置の出力信号のパルス数をカウントするパルスカウンタを備えることを特徴とする。あるいは、前記周波数検出手段は、前記基準信号と所定の信号発生装置の出力信号の差を出力するミキサ回路を備えることを特徴とする。
【００１２】
また、本発明の周波数基準信号発生装置においては、前記少なくともｎ−１個の周波数検出手段の出力は通信回線を通じて遠隔地の制御基地に伝送され、前記出力信号切換手段を制御する制御信号は前記遠隔地の制御基地から通信回線を通じて伝送されることを特徴とする。
【００１３】
また、本発明の周波数基準信号発生方法においては、ｎ個（ｎは３以上の整数）の信号発生装置のいずれか１個の出力信号を基準信号として出力するとともに、その基準信号の周波数を基準に残りの最大ｎ−１個の前記信号発生装置の出力信号の周波数を検出し、その検出結果に基づいて前記残りの最大ｎ−１個の信号発生装置のうちのいずれの出力信号を次の基準信号として出力するかどうかを決めることを特徴とする。
【００１４】
また、本発明の周波数基準信号発生方法においては、前記検出結果の過半数において、前記基準信号と残りの前記信号発生装置の出力信号の周波数が所定以上に変化したことを示す時に、前記基準信号として出力する前記信号発生装置を所定以上に変化した方の信号発生装置に切り換えることを特徴とする。あるいは、前記検出結果の半数未満において、前記基準信号と残りの前記信号発生装置の出力信号の周波数が所定以上に変化したことを示す時に、当該検出結果を示した前記信号発生装置を基準信号の周波数を基準に出力信号の周波数を検出する対象から外すことを特徴とする。
【発明の効果】
【００１５】
本発明の周波数基準信号発生装置においては、比較的シンプルで安価な構成でありながらも、内蔵する信号発生装置の出力する基準信号の突発的な周波数変化を検知し、必要に応じて基準信号を正常な信号発生装置の出力信号に切り換えることができる。
【発明を実施するための最良の形態】
【００１６】
（実施例１）
図１に、本発明の周波数基準信号発生装置の一実施例のブロック図を示す。図１に示すように、周波数基準信号発生装置１は、あらかじめ基本的に同じ周波数の出力信号になるように構成されたｎ個（ｎは３以上の整数）の信号発生装置ＯＳＣ１〜ＯＳＣｎと、出力信号切換手段ＳＷと、ゲート信号作成回路ＧＳＧと、ｎ−１個のパルスカウンタＰＣ１〜ＰＣｎ−１を備えている。なお、ゲート信号作成回路ＧＳＧと各パルスカウンタＰＣ１〜ＰＣｎ−１で実質的にｎ−１個の周波数検出手段を構成している。各信号発生装置ＯＳＣ１〜ＯＳＣｎは例えば水晶振動子を用いた水晶発振器である。
【００１７】
出力信号切換手段ＳＷはｎ個の入力端子ｉｎ（１）〜ｉｎ（ｎ）を備え、それぞれに各信号発生装置ＯＳＣ１〜ＯＳＣｎの出力信号が入力されている。また、出力信号切換手段ＳＷは基準信号とされた信号を出力する出力端子ｒｅｆとｎ−１個の出力端子ｏｕｔ（１）〜ｏｕｔ（ｎ−１）を備えている。出力信号切換手段ＳＷの中では、入力端子ｉｎ（１）が出力端子ｒｅｆに接続され、入力端子ｉｎ（２）〜ｉｎ（ｎ）がそれぞれ出力端子ｏｕｔ（１）〜ｏｕｔ（ｎ−１）に接続されている。出力端子ｏｕｔ（１）〜ｏｕｔ（ｎ−１）はそれぞれパルスカウンタＰＣ１〜ＰＣｎ−１に接続されている。さらに、出力信号切換手段ＳＷは制御信号入力端子ｃｉｎを備え、周波数基準信号発生装置１の制御信号入力端子ＣＮＴから制御信号入力端子ｃｉｎに入力される信号にしたがって入力端子ｉｎ（２）〜ｉｎ（ｎ）のいずれかに入力された信号を入力端子ｉｎ（１）に入力された信号に代えて出力端子ｒｅｆから出力するように切り換えることができる。
【００１８】
なお、図１においては入力端子ｉｎ（２）〜ｉｎ（ｎ）と出力端子ｏｕｔ（１）〜ｏｕｔ（ｎ−１）が直結されていることから分かるように、パルスカウンタＰＣ１〜ＰＣｎ−１に入力される信号は信号発生装置ＯＳＣ２〜ＯＳＣｎの出力信号そのものである。よって、パルスカウンタＰＣ１〜ＰＣｎ−１に入力される信号は、信号発生装置ＯＳＣ２〜ＯＳＣｎから出力される信号を２つに分岐して、一方を出力信号切換手段ＳＷに入力し、他方をパルスカウンタに入力するようにしても構わない。その場合には出力信号切換手段ＳＷには出力端子ｏｕｔ（１）〜ｏｕｔ（ｎ−１）は不要となる。
【００１９】
出力信号切換手段ＳＷの出力端子ｒｅｆは周波数基準信号発生装置１の出力端子ＯＵＴに接続されている。ゲート信号作成回路ＧＳＧには出力端子ｒｅｆから出力される基準信号が入力されており、その基準信号にしたがって所定の間隔のゲート信号を作成する。ゲート信号作成回路ＧＳＧの出力は各パルスカウンタＰＣ１〜ＰＣｎ−１に接続されており、各パルスカウンタに同じゲート信号を供給する。各パルスカウンタＰＣ１〜ＰＣｎ−１の出力は周波数基準信号発生装置１のデータ出力端子ＤＡＴＡ１〜ＤＡＴＡｎ−１にそれぞれ接続されている。
【００２０】
また、記載は省略しているが、データ出力端子ＤＡＴＡ１〜ＤＡＴＡｎ−１から出力されるデータは、インターネットや専用回線などの通信回線などを介して遠隔地の制御基地に送られるようになっており、また、通信回線を介して届いた遠隔地からの制御信号が制御信号入力端子ＣＮＴに入力されるように構成されている。
【００２１】
このように構成された周波数基準信号発生装置１において、最初は上述のように信号発生装置ＯＳＣ１の出力信号が基準信号として出力されるように設定されている。
【００２２】
この信号発生装置ＯＳＣ１の出力信号である基準信号を元にしてゲート信号作成回路ＧＳＧでパルスカウンタ用のゲート信号が作成される。この場合のゲート信号とは、パルスカウンタでカウントを行う期間を決める信号である。ゲート信号作成回路ＧＳＧとしては、例えば分周器が用いられ、１０ＭＨｚ程度の基準信号を０．１Ｈｚ程度の低周波のゲート信号にする。そして、このゲート信号に基づいて各パルスカウンタＰＣ１〜ＰＣｎ−１で信号発生器ＯＳＣ２〜ＯＳＣｎの出力信号のパルス数（波の数）をカウントし、データ出力端子ＤＡＴＡ１〜ＤＡＴＡｎ−１からデジタル信号の数値データの形で出力する。
【００２３】
信号発生装置ＯＳＣ１〜ＯＳＣｎの出力信号はほぼ同じであるため、全出力信号に突発的な周波数変化がないと仮定すると、各データ出力端子ＤＡＴＡ１〜ＤＡＴＡｎ−１から出力されるデータもほぼ同じになるはずである。そのため、このようなデータが通信回線を介して伝達された遠隔地に存在する制御基地では、この場合には何もアクションは起こさない。
【００２４】
ここで、基準信号とされている信号発生装置ＯＳＣ１の出力信号の周波数が突発的な変化をしたと仮定する。そして、このとき他の信号発生装置ＯＳＣ２〜ＯＳＣｎの出力信号には突発的な変化はないと仮定する。すなわち、本発明においては、信号発生装置の出力信号の周波数の突発的な変化が起きる確率は非常に小さいため、複数の信号発生装置において同時に出力信号の周波数の突発的な変化が起きる可能性はほとんどないとここでは仮定する。
【００２５】
信号発生装置ＯＳＣ１の出力信号の周波数が突発的な変化をするとゲート信号が変化する。そのため、各パルスカウンタＰＣ１〜ＰＣｎ−１でのカウント数が全て変化し、各データ出力端子ＤＡＴＡ１〜ＤＡＴＡｎ−１から出力されるデータも全て大きく変化する。すなわち、信号発生装置ＯＳＣ１の出力信号の周波数が突発的な変化をする前と後では各データ出力端子ＤＡＴＡ１〜ＤＡＴＡｎ−１から出力される全てのデータが大きく変化する。そのため、このようなデータが通信回線を介して伝達された遠隔地に存在する制御基地では、基準信号の発生源として利用している信号発生装置ＯＳＣ１の出力信号の周波数が突発的な変化を起こしたものと判断できる。
【００２６】
そこで、基準信号を発生する手段の中から信号発生装置ＯＳＣ１を除外するように通信回線を介して周波数基準信号発生装置１に制御信号を送る。送られた制御信号は制御信号入力端子ＣＮＴから出力信号切換手段ＳＷの制御信号入力端子ｃｉｎに入力される。
【００２７】
出力信号切換手段ＳＷにおいては上記の制御信号にしたがって、例えば信号発生装置ＯＳＣ２の出力を基準信号として出力端子ｒｅｆから出力するように切り換える。信号発生装置ＯＳＣ１の接続されている入力端子ｉｎ（１）は出力信号切換手段ＳＷ内でどこにも接続されないことになる。また、出力端子ｏｕｔ（１）から出力される信号はなくなるため、パルスカウンタＰＣ１の出力、すなわちデータ出力端子ＤＡＴＡ１の信号は意味のないものとなる。なお、ここでは信号発生装置ＯＳＣ２の出力を基準信号にしたが、他の信号発生装置の出力を基準信号にしても構わない。
【００２８】
なお、上記の説明では各データ出力端子ＤＡＴＡ１〜ＤＡＴＡｎ−１から出力されるデータが全て大きく変化するとしたが、信号発生装置ＯＳＣ１の出力信号の突発的な周波数変化とほぼ同時に信号発生装置ＯＳＣ２〜ＯＳＣｎの一部の出力信号が信号発生装置ＯＳＣ１と同じ方向に突発的に周波数変化するという可能性はほとんどないとはいえどもゼロではない。そこで、現実的には各データ出力端子ＤＡＴＡ１〜ＤＡＴＡｎ−１から出力されるデータの全てではなく過半数が大きく変化した時に信号発生装置ＯＳＣ１の出力信号の周波数が突発的な変化を起こしたものと判断すればよい。そして、その場合には信号発生装置ＯＳＣ２〜ＯＳＣｎのうち、データ出力端子から出力されるデータに変化のなかったあるいは小さかった方の信号発生装置にも問題があると判断して、信号発生装置の切換措置に対する除外対象とし、変化のあった方の信号発生装置から選んで切り換える措置を取ればよい。
【００２９】
次に、例えば信号発生装置ＯＳＣ２の出力信号の周波数が突発的な変化をしたと仮定する。この場合、ゲート信号は変化しないので、パルスカウンタＰＣ１でのカウント数のみがそれまでとは大きく変化し、他のパルスカウンタのカウント数はほとんど変化しない。すなわち、信号発生装置ＯＳＣ２の出力信号の周波数が突発的な変化をする前と後ではデータ出力端子ＤＡＴＡ１から出力されるデータのみが大きく変化する。そのため、このようなデータが通信回線を介して伝達された遠隔地に存在する制御基地では、信号発生装置ＯＳＣ２の出力信号の周波数が突発的な変化を起こしたものと判断し、それ以降はデータ出力端子ＤＡＴＡ１の信号については無視するようにする。そして、次に最初の仮定のような無視していない有効な各データ出力端子から出力される全てのデータが大きく変化するような状況においては、無視の対象である信号発生装置ＯＳＣ２は切換対象の信号発生装置からも除外される。このとき、基準信号を発生する手段の中から信号発生装置ＯＳＣ２を除外するように通信回線を介して周波数基準信号発生装置１に制御信号を送る必要はないが、制御信号を送って信号発生装置ＯＳＣ２に問題があることを通知しても構わない。
【００３０】
なお、上記の例では信号発生装置ＯＳＣ２のみに突発的な周波数変化がある場合について説明したが、信号発生装置ＯＳＣ２〜ＯＳＣｎの中の複数で同時に突発的な周波数変化が起きる可能性も否定はできない。よって、実際には有効な複数のデータ出力端子から出力されるデータのうちの半数未満において大きな変化があった場合に、大きな変化があった全ての信号発生装置に関して除外措置を取るようにすればよい。
【００３１】
このように、周波数基準信号発生装置１においては、いずれか１つの信号発生装置の出力信号を基準信号として利用し、さらにその基準信号を基準にして残りの信号発生装置の出力信号の周波数変化をモニターすることによって、基準信号として利用している信号発生装置の出力信号に突発的な周波数変化があった時に、遠隔地の制御基地においてその状況を把握し、必要に応じて基準信号として利用する信号発生装置を切り換えて基準信号の安定性を維持することができる。
【００３２】
上記の説明では、複数のデータ出力端子から出力されるデータのうちの過半数が大きく変化した場合と半数未満において大きな変化があった場合について述べた。ただ、現実にはデータ出力端子から出力されるデータのちょうど半分において大きな変化があるという場合がまれに考えられる。この場合は、基準信号として利用している信号発生装置に問題があるのか他の信号発生装置に問題があるのかは判断しがたい。そのため、この場合は周波数基準信号発生装置１から出力される情報は異常が生じているという警告として受け取ればよい。そして、何らかの別の手段で確認、判断する必要がある。
【００３３】
ただ、現実にはデータ出力端子から出力されるデータのちょうど半分において大きな変化があるという場合は、確率的には基準信号として利用している信号発生装置に問題がある可能性が高いと考えられる。よって、この場合にも信号発生装置を切り換える措置を取ってもよい。
【００３４】
また、上記の例では何らかの変化があった時に基本的に信号発生装置を切り換えたり除外したりする措置を行っているが、必ずしも最終的な措置にまで結びつける必要はない。どのような場合も周波数基準信号発生装置１からの情報は警告情報にとどめておき、制御基地側において周波数基準信号発生装置１から得られた情報の個々の具体的な値や、それとは別の様々な情報に基づいて総合的に判断して措置を決めても構わないものである。
【００３５】
次に、上記の総合的な判断のうち、周波数基準信号発生装置１からの情報に基づくものについて簡単に説明する。
【００３６】
周波数基準信号発生装置１からの情報は、基準信号として利用されている信号発振装置ＯＳＣ１の出力信号の周波数に基づいてカウントされているとはいえ、基準信号の信号源として利用されていない信号発生装置の周波数に対応する値である。仮に信号発生装置ＯＳＣ１の出力信号の周波数と全く同じ周波数の出力信号を出す信号発生装置があれば、その信号発生装置に対応したパルスカウンタの出力は理論的に計算できる値になる。すなわち、例えば信号発生装置の周波数が１０ＭＨｚでパルスカウンタのゲート信号が０．１Ｈｚであれば１×１０7になる。そして、各パルスカウンタの出力はこの１×１０7を中心値としてばらつくものと想定される。
【００３７】
そこで、まず各パルスカウンタの出力値の平均値ａｖｇ、標準偏差σ、最大値ｍａｘ、最小値ｍｉｎを求める。
【００３８】
そして、１つの方法としては、ある幅α（＞０）をあらかじめ決めておき、平均値ａｖｇが理論的に計算される中心値−α〜中心値＋αの範囲にあれば周波数基準信号発生装置１には何の問題も生じていないと判断する。逆に、平均値ａｖｇが上記の範囲外にある時には何らかの問題が発生しつつあるとみなし、総合的な判断に利用する。
【００３９】
別の方法としては、ある値β（＞０）をあらかじめ決めておき、標準偏差σがβ以下であれば周波数基準信号発生装置１には何の問題も生じていないと判断する。逆に、標準偏差σがβより大きい時には何らかの問題が発生しつつあるとみなし、総合的な判断に利用する。
【００４０】
さらに別の方法として、ある値γ（＞０）を決めておき、最大値ｍａｘが中心値＋γ以下であり、かつ最小値ｍｉｎが中心値−γ以上であれば周波数基準信号発生装置１には何の問題も生じていないと判断する。逆に、最大値ｍａｘが中心値＋γより大きかったり、最小値ｍｉｎが中心値−γより小さかったりする時には何らかの問題が発生しつつあるとみなし、総合的な判断に利用する。
【００４１】
このように、周波数基準信号発生装置１からの情報は信号発生装置を切り換えたり除外したりする措置に直接利用する以外に、その措置を決めるための総合的な判断の際の材料としても利用することができる。
【００４２】
なお、上記の実施例においては、データ出力端子から出力されるデータは遠隔地の制御基地に送られ、そこで何らかの判断をした結果が制御信号として遠隔地から周波数基準信号発生装置に送られるとしたが、必ずしもこの構成に限られるものではない。例えば、周波数基準信号発生装置に隣接して、データ出力端子から出力されるデータに基づいて何らかの判断を行う装置が設けられており、明確な判断ができるような場合には遠隔地とのデータのやり取りをせずに信号発生装置の切換などの措置を取るように構成されていても構わない。この場合は措置の内容のみが遠隔地に送られることになる。さらに極端な場合には、遠隔地とのデータのやり取りが全く行われず、周波数基準信号発生装置およびその周辺機器のみで全ての動作が完結して行われるものであっても構わないものである。
（実施例２）
図２に、本発明の周波数基準信号発生装置の別の実施例のブロック図を示す。図２において、図１と同一もしくは同等の部分には同じ記号を付し、その説明を省略する。
【００４３】
図２に示した周波数基準信号発生装置１０においては、周波数基準信号発生装置１におけるゲート信号作成回路やパルスカウンタに代えて、ｎ−１個のミキサ回路ＭＩＸ１〜ＭＩＸｎ−１、同じくｎ−１個のローパスフィルタＬＰＦ１〜ＬＰＦｎ−１を備えている。このミキサ回路とローパスフィルタの１つずつの組み合わせでｎ−１個の周波数検出手段を構成している。
【００４４】
出力信号切換手段ＳＷの出力端子ｏｕｔ（１）〜ｏｕｔ（ｎ−１）はそれぞれミキサ回路ＭＩＸ１〜ＭＩＸｎ−１に接続されている。また、出力信号切換手段ＳＷの出力端子ｒｅｆも全てのミキサ回路ＭＩＸ１〜ＭＩＸｎ−１に接続されている。そして、各ミキサ回路ＭＩＸ１〜ＭＩＸｎ−１の出力はそれぞれローパスフィルタＬＰＦ１〜ＬＰＦｎ−１を介して周波数基準信号発生装置１のデータ出力端子ＤＡＴＡ１〜ＤＡＴＡｎ−１に接続されている。
【００４５】
このように構成された周波数基準信号発生装置１０では、周波数検出手段の構成が異なる以外は周波数基準信号発生装置１と全く同じであるため、ここでは周波数検出手段について説明する。
【００４６】
周波数基準信号発生装置１０の周波数検出手段はそれぞれミキサ回路とローパスフィルタで構成されている。ミキサ回路には基準信号である信号発生装置ＯＳＣ１の出力信号と他のいずれかの信号発生装置の出力信号が入力され、ミキシングされ、その差の周波数の信号がローパスフィルタから出力される。信号発生装置の出力信号は基準信号とされているものも含めていずれも基本的に同じ周波数の信号を出力しているはずなので、その差の周波数の信号は非常に低い周波数になる。一方、信号発生装置ＯＳＣ１側あるいは他の信号発生装置側で出力信号の周波数の突発的な変化があった場合には、その差がそのまま信号周波数として現れる。その場合でも元の信号発生装置の出力信号の周波数に比べれば十分に低い周波数である。
【００４７】
そこで、この低い周波数の信号を記載を省略した波形成形回路で波形成形して矩形波にすることによって信号の幅が周波数情報となっているシリアル情報のデジタル信号が得られ、通信回線に乗せることができる。そして、この低周波の信号を遠隔地に存在する制御基地で何らかの方法で認識することによって、周波数基準信号発生装置１の場合と同様に信号発生装置の突発的な周波数変化の有無を確認することができる。
【００４８】
なお、周波数基準信号発生装置１０の場合は周波数検出手段としてミキサ回路を利用しているため、信号発生装置の周波数変化が高くなっても低くなっても同じ結果を示す。すなわちどのように変化したのか分からない。このような場合には、基準信号の信号源として使用していない信号発生装置間でもミキサ回路とローパスフィルタを利用して周波数差を検出し、情報として出力してもよい。そして、この情報を信号発生装置を切り換えたり除外したりする措置を決める際の総合判断の補助情報として利用してもよい。
【図面の簡単な説明】
【００４９】
【図１】本発明の周波数基準信号発生装置の一実施例のブロック図である。
【図２】本発明の周波数基準信号発生装置の別の実施例のブロック図である。
【符号の説明】
【００５０】
１、１０…周波数基準信号発生装置
ＯＳＣ１〜ＯＳＣｎ…信号発生装置
ＳＷ…出力信号切り替え装置
ＧＳＧ…ゲート信号作成回路
ＰＣ１〜ＰＣｎ−１…パルスカウンタ
ＭＩＸ１〜ＭＩＸｎ−１…ミキサ回路
ＬＰＦ１〜ＬＰＦｎ−１…ローパスフィルタ
【図１】
2006140801.tif 000003
【図２】
2006140801.tif 000004